(57)【要約】【課題】　分離された上部電極構造を有する電界放出素子を提供する。【解決手段】　下部基板と、下部基板上にストライプ状に形成される下部電極と、下部電極上に所定間隔離隔されて配列される複数のエミッタを含むＦＥＡと、下部基板と対向する上部基板と、上部基板の上面に下部電極と交差するようにストライプ状に形成される上部電極及び、上部電極の上面に形成され、同じエミッタに相異なる２つの色相の光を発光する蛍光体が対応するように複数の蛍光体が配列される蛍光体アレイとを具備し、上部電極は同じエミッタに対応する相異なる２つの色相の光を発光する蛍光体にそれぞれ分離して連結される第１及び第２上部電極よりなる。上部電極を簡単な工程に配列でき、クロストーク現象を除去して良質の画像を提供できる。【選択図】　　　図５Ａ
2004071567.tif 000002
【特許請求の範囲】
【請求項１】
　下部基板と、
　前記下部基板上にストライプ状に形成される下部電極と、
　前記下部電極上に所定間隔離隔されて配列される複数のエミッタを含む電界放出アレイと、
　前記下部基板と対向する上部基板と、
　前記上部基板の上面に前記下部電極と交差するようにストライプ状に形成される上部電極と、
　前記上部電極上に形成され、同じエミッタに相異なる２つの色相の光を発光する蛍光体が対応するように複数の蛍光体が配列される蛍光体アレイと、を具備して、
　前記上部電極は、前記同じエミッタに対応する相異なる２つの色相の光を発光する蛍光体にそれぞれ分離して連結された第１及び第２上部電極よりなることを特徴とする電界放出ディスプレイ。
【請求項２】
　前記エミッタは、
　前記下部電極の一部が露出されるように前記下部電極上に形成されるバス電極層と、
　前記露出された下部電極の上面に形成される電子放出チップと、
　前記バス電極層の上面に形成され、前記電子放出チップを取り囲むウェルが備えられるゲート絶縁層と、
　前記ゲート絶縁層上に形成されるゲート電極層と、を含むことを特徴とする請求項１に記載の電界放出ディスプレイ。
【請求項３】
　前記電子放出チップは金属チップであることを特徴とする請求項２に記載の電界放出ディスプレイ。
【請求項４】
　前記電子放出チップは炭素ナノチューブまたは炭素系材料であることを特徴とする請求項２に記載の電界放出ディスプレイ。
【請求項５】
　前記蛍光体アレイは、Ｒ光、Ｇ光及び、Ｂ光を発光する蛍光体が順に繰り返し配列されることを特徴とする請求項１に記載の電界放出ディスプレイ。
【請求項６】
　前記蛍光体アレイは、前記相異なるエミッタに対応する相異なる２つの色相の蛍光体が、それぞれ前記第１及び第２上部電極に連結されることを特徴とする請求項１に記載の電界放出ディスプレイ。
【請求項７】
　前記蛍光体アレイは、前記相異なるエミッタに対応する相異なる２つの色相の蛍光体が、それぞれ前記第１及び第２上部電極に連結されることを特徴とする請求項４に記載の電界放出ディスプレイ。
【請求項８】
　前記下部電極はカソードであり、前記上部電極はアノードであることを特徴とする請求項１に記載の電界放出ディスプレイ。
【発明の詳細な説明】
【技術分野】
【０００１】
　本発明は電界放出ディスプレイ（ＦＥＤ：Field Emission Display)に係り、より詳しくは、分離された上部電極構造を有する電界放出ディスプレイに関する。
【背景技術】
【０００２】
　電界放出ディスプレイは、電界放出アレイ（ＦＥＡ：Field Emitter Array）をマトリックス配列して、ＣＲＴのように電子ビームを蛍光体と衝突させて所定色相の光を発光して画像を表示する装置である。
　電界放出ディスプレイでカラーを具現する最も単純な方法は、画素対画素方法、またはカソードスイッチング方法である。画素対画素方法では、複数の画素を基本単位として各画素ごとに該当する色相の蛍光体をアノードに位置させ、所望の色相を有する蛍光体に電子ビームを衝突させるようにカソードを駆動する。
【０００３】
　図１は、従来の電界放出ディスプレイの断面を簡略に示した図であって、カソードスイッチング駆動方式を使用する構造を示す。図面で、○は電圧が印加されることを、×は電圧が印加されないことを示す。
【０００４】
　図１を参照すれば、カソード１１上に複数のエミッタ２６Ｒ、２６Ｇ、２６Ｂ、２８Ｒ、２８Ｇ、２８Ｂを含むＦＥＡ　２０が形成されており、ＦＥＡ２０に対向してアノード１３が形成されている。アノード１３の上面にはそれぞれのエミッタ２６Ｒ、２６Ｇ、２６Ｂ、２８Ｒ、２８Ｇ、２８Ｂに対向してレッド（Ｒ）、グリン（Ｇ）、ブルー（Ｂ）色相に該当する蛍光体１６Ｒ、１６Ｇ、１６Ｂ、１８Ｒ、１８Ｇ、１８Ｂが順に配列されている。第１画素１６は、Ｒ、Ｇ、Ｂの蛍光体１６Ｒ、１６Ｇ、１６Ｂを含み、第２画素１８は、Ｒ，Ｇ，Ｂの蛍光体１８Ｒ、１８Ｇ、１８Ｂを含む。図面には便宜上第１画素１６と第２画素１８とだけ示した。
【０００５】
　ここで、アノード１３は蛍光体１６Ｒ、１６Ｇ、１６Ｂ、１８Ｒ、１８Ｇ、１８Ｂに共通に電圧を印加する共通電極である一方、カソード１１は所定の蛍光体に対向するエミッタ２６Ｒ、２６Ｇ、２６Ｂ、２８Ｒ、２８Ｇ、２８Ｂだけに選択的に電圧を印加して電子ビームを放出するように行と列に配列される個別電極に形成される。
【０００６】
　カソードスイッチング駆動方法を利用して第１画素１６に紫色（Ｖ光）３１を表現する場合には、アノード１３に共通電圧を印加し、第１画素１６のＲ蛍光体１６ＲとＢ蛍光体１６Ｂに対応するエミッタ２６Ｒ、２６Ｂだけに電圧を印加して、同時に赤色と青色を発光させる。また、第２画素１８に緑色（Ｇ光）３３を表現するためには、アノード１３に共通電圧を印加し、第２画素１８のＧ蛍光体１８Ｇに対応するエミッタ２８Ｇだけを駆動してＧ光を発光させる。カソードスイッチング方式は、各蛍光体に対応するエミッタだけを発光させるので、駆動方式が簡単であるという長所を有する。
【０００７】
　しかし、カソードスイッチング方式は駆動方式の特性上、クロストーク現象が現れうる。高解像度の電解放出素子を実現するためには、蛍光体１６Ｒ、１６Ｇ、１６Ｂ、１８Ｒ、１８Ｇ、１８Ｂの間隔を狭め、エミッタ２６Ｒ、２６Ｇ、２６Ｂ、２８Ｒ、２８Ｇ、２８Ｂのサイズを小型化する必要がある。カソードスイッチング方式では、赤色、緑色、青色のすべての蛍光体１６Ｒ、１６Ｇ、１６Ｂ、１８Ｒ、１８Ｇ、１８Ｂに同時に同一電圧が印加されるので、赤色光を発光させるために蛍光体１６Ｒだけに衝突するようにエミッタ２６Ｒから電子ビームを発しても、緑色の蛍光体１６Ｇに電子ビームが衝突する可能性がある。このようなクロストーク現象は画像の色純度や画質を悪化させる。
【０００８】
　このようなクロストーク現象を図２に図示する。Ｂ光を発光させるために蛍光体１６Ｂに到達すべきエミッタ２６Ｂの電子ビームが、隣接するＧ光を発光する蛍光体１６Ｇ、またはＲ光を発光する蛍光体１６Ｒに到達して、予定しないＧ光、またはＲ光を発光させる。また、Ｇ光を発光する蛍光体１８Ｇに到達すべきエミッタ２８Ｇの電子ビームが、隣接するＲ光を発光する蛍光体１６Ｒ、またはＢ光を発光する蛍光体１８Ｂに到達するクロストーク現象も見られる。
【０００９】
　前記カソードスイッチング方法は、前記クロストーク現象以外にも、各色の蛍光体に対応して、より多くの、より小さいエミッタを必要とするので、製造上、組立上困難があるという問題がある。
【００１０】
　これとは別に、電界放出ディスプレイのカラー画像を形成するために、１つのエミッタに３つの色相の蛍光体を対応させたアノードスイッチング方法を使用できる。
【００１１】
　図３は、従来の電界放出ディスプレイの断面を簡略に示した図であって、アノードスイッチング方法により駆動される構造を示す図面である。
　図３を参照すれば、カソード１１上にエミッタ２０ａ、２０ｂが配列されており、カソード１１と対向するように上部基板１２が形成されている。Ｒ、Ｇ及びＢ光を発光する蛍光体（１６Ｒ、１６Ｇ、１６Ｂ）、（１８Ｒ、１８Ｇ、１８Ｂ）は、１つのエミッタ２０ａ、２０ｂに３つの色相Ｒ、Ｇ、Ｂの光を発光する蛍光体（１６Ｒ、１６Ｇ、１６Ｂ）、（１８Ｒ、１８Ｇ、１８Ｂ）がそれぞれ対向するように配列される。第１画素１６にはエミッタ２０ａに対応する蛍光体１６Ｒ、１６Ｇ、１６Ｂが含まれ、第２画素１８にはエミッタ２０ｂに対応する蛍光体１８Ｒ、１８Ｇ、１８Ｂが含まれる。上部基板１２には第１ないし第３アノード１３ａ、１３ｂ、１３ｃが形成される。第１アノード１３ａは、各画素１６、１８のＲ光を発光する蛍光体１６Ｒ、１６Ｒに接続され、第２アノード１３ｂは各画素１６、１８のＧ光を発光する蛍光体１６Ｇ、１８Ｇに接続され、第３アノード１３ｃは各画素１６、１８のＢ光を発光する蛍光体１６Ｂ、１８Ｂに接続される。
【００１２】
　第１画素１６にＶ光３１を表示するために、まず図３の（ａ）に示されたように、Ｒ蛍光体１６Ｒと連結された第１アノード１３ａに電圧を印加し、対応する下部のエミッタ２０ａを駆動するようにエミッタ２０ａに連結されたカソード１１にだけ電圧を印加する。すなわち、Ｒ光が必要な第１画素１６のエミッタ２０ａだけ駆動して電子ビームを放出させ、第１アノード１３ａにだけ電圧を印加して蛍光体１６ａに電子ビームが衝突するようにしてＲを第１画素１６に具現する。
【００１３】
　次に、図３の（ｂ）に示されたように、蛍光体１６Ｂと連結された第３アノード１３ｃに電圧を印加し、対応する下部のエミッタ２０ａを駆動するようにエミッタ２０ａと連結されたカソード１１にだけ電圧を印加して電子ビームが蛍光体１６Ｂと衝突させることによってＢ光を発光させて第１画素１６でＲとＢ光が僅かな時間差で発光するようにして視覚的に紫色Ｖが表現されるようにする。
【００１４】
　第２画素１８にＧ光を表現するためには、図３の（ｃ）に示されたように、蛍光体１８Ｇと連結された第２アノード１３ｂにだけ電圧を印加し、蛍光体１８Ｇに対応するエミッタ２０ｂにだけ電子ビームを放出させるようにカソード１１に電圧を印加して蛍光体１８ＧからＧ光を発光させる。
【００１５】
　アノードスイッチング方法は、カソードスイッチング方法と異なり、所望の色相の蛍光体にだけ電圧が印加されるので、放出される電子ビーム集束能力が強化され、エミッタを色相別に区分して配列する必要がないので、工程が簡単になる長所を有する一方、各色相別に電圧が印加されねばならないので、各色相別にアノードを区分し、絶縁させる工程段階を必要とする。しかし、２次元平面上に３つのアノードを絶縁体で区切る工程は複雑なだけでなく、絶縁層の特性により高電圧を印加し難いので、印加電圧がカソードスイッチング方法より顕著に落ちて画素群上に表示された画像の輝度が落ちるという短所がある。
【発明の開示】
【発明が解決しようとする課題】
【００１６】
　したがって、本発明が解決しようとする技術的課題は、前述した従来技術の問題点を改善するため、上部基板の電極を２つに分離する簡単な構造を採用してカソードスイッチング方式の電界放出ディスプレイで発生できる電子ビーム間のクロストークを防止するとともに、アノードスイッチング方式でのアノード配列の工程上の難しさを除去して画質が良好であり、輝度が向上した画像が実現できる電界放出ディスプレイを提供することである。
【課題を解決するための手段】
【００１７】
　前記技術的課題を達成するために、本発明は、下部基板と、前記下部基板上にストライプ状に形成される下部電極と、前記下部電極上に所定間隔離隔されて配列される複数のエミッタを含むＦＥＡと、前記下部基板と対向する上部基板と、前記上部基板の上面に前記下部電極と交差するようにストライプ状に形成される上部電極と、前記上部電極の上面に形成され、同じエミッタに相異なる２つの色相の光を発光する蛍光体が対応するように複数の蛍光体が配列される蛍光体アレイと、を具備し、前記上部電極は、前記同じエミッタに対応する相異なる２つの色相の光を発光する蛍光体にそれぞれ分離して連結された第１及び第２上部電極よりなることを特徴とする電界放出ディスプレイを提供する。
【００１８】
　前記エミッタは、前記下部電極の一部が露出されるように前記下部電極上に形成されるバス電極層と、前記露出された下部電極上に形成される電子放出チップと、前記バス電極層上に形成され、前記電子放出チップを取り囲むウェルが備えられるゲート絶縁層と、前記ゲート絶縁層上に形成されるゲート電極層と、を含む。
【００１９】
　前記電子放出チップは、金属チップ、炭素ナノチューブ、または炭素系材料よりなる。
　前記蛍光体アレイは、Ｒ、Ｇ、及びＢ光を発光する蛍光体が順に繰り返し配列されることが望ましい。
　前記蛍光体アレイは、前記相異なるエミッタに対応する相異なる２つの色相の蛍光体が相異なる上部電極に連結されうる。
　または、前記蛍光体アレイは、前記相異なるエミッタに対応する前記相異なる２つの色相の蛍光体が同じ上部電極に連結されうる。
　前記下部電極はカソードであり、前記上部電極はアノードである。
　本発明は、エミッタ１つに相異なる色相の光を発光する蛍光体を２つ対応させる分離された上部電極構造を具備する簡単な構造の電界放出ディスプレイを提供するので、電子ビーム集束能力を強化させて画質を向上させうる。
【発明の効果】
【００２０】
　本発明は、１つのエミッタに相異なる色相の２つの蛍光体が対応するように配列し、前記相異なる２つの蛍光体が分離された各上部電極に連結される構造で形成された電界放出ディスプレイを提供して上部電極を簡単な工程で形成し、クロストーク現象を防止して良質の画像が具現できる。
【発明を実施するための最良の形態】
【００２１】
　以下、本発明の実施形態による電界放出ディスプレイについて、図面を参照して詳細に説明する。異なる図面において、同じ参照符号は同じ構成要素を示す。図面で、○は電圧が印加されることを、×は電圧が印加されないことを示す。
【００２２】
　図４は、本発明の実施形態による電界放出ディスプレイを示した斜視図である。
　図４に示すように、本発明の実施形態による電界放出ディスプレイは、下部基板５０と、これに対向する上部基板５２を含んで構成される。カソード（下部電極）５１は、下部基板５０の上面にストライプ状に配列されている。そして、エミッタ５６，５７，５８は、カソード５１の各表面に所定間隔離隔されて配列されている。異なる色相の蛍光体の組、例えばＲ蛍光体４６ＲとＧ蛍光体４６Ｇ、Ｂ蛍光体４７ＢとＲ蛍光体４７Ｒ、Ｇ蛍光体４８ＧとＢ蛍光体４８Ｂの各組は、それぞれエミッタ５６，５７，５８に対応するように上部基板５２上に順に並んで配列されている。第１および第２アノード５３ａ，５３ｂは、上部基板５２と、各蛍光体４６Ｒ、４６Ｇ、４７Ｂ、４７Ｒ、４８Ｇ、４８Ｂとの間に配置され、各アノードは、各蛍光体と揃っている。第１および第２アノード５３ａ，５３ｂは、それぞれ異なる色相の蛍光体と接続されている。各蛍光体、つまりＲ蛍光体４６ＲおよびＧ蛍光体４６Ｇは、一つのエミッタ、つまり第１エミッタ５６と揃っている。上部基板５２と下部基板５０とは、スペーサ４５により離隔されてある。
【００２３】
　図５Ａは、図４の電界放出ディスプレイを示した断面図である。
　図５Ａを参照すれば、本発明の第１実施形態による電界放出ディスプレイは、下部基板（図示せず）と、下部基板上にストライプ状に形成されるカソード５１と、カソード５１の上に形成される複数のエミッタ５６、５７、５８よりなるＦＥＡを含む下部構造とを含む。
【００２４】
　また、本発明の第１実施形態による電界放出ディスプレイは、前記下部構造と共に、前記下部基板５０に対向する上部基板５２と、上部基板５２上にカソード５１と交差するように形成される第１及び第２アノード５３ａ、５３ｂと、１つのエミッタ５６、５７、５８にそれぞれ相異なる２つの色相（４６Ｒ、４６Ｇ）、（４７Ｂ、４７Ｒ）、（４８Ｇ、４８Ｂ）が対応するように複数の蛍光体（４６Ｒ、４６Ｇ）、（４７Ｂ、４７Ｒ）、（４８Ｇ、４８Ｂ）が配列される蛍光体アレイを具備する上部構造を含む。
【００２５】
　ここで、第１及び第２アノード５３ａ、５３ｂは、蛍光体アレイと上部基板５２の界面に形成され、同じエミッタ５６、５７、５８に対応する相異なる２つの色相の蛍光体（４６Ｒ、４６Ｇ）、（４７Ｂ、４７Ｒ）、（４８Ｇ、４８Ｂ）について、それぞれ交互に連結される。すなわち、エミッタ５６に対応する蛍光体４６Ｒ、４６Ｇで、Ｒ蛍光体４６Ｒは第１アノード５３ａに、Ｇ蛍光体４６Ｇは第２アノード５３ｂに連結される。相異なるエミッタ５６、５７に対応する相異なる色相の２つの蛍光体４６Ｇ、４７Ｂは相異なるアノードに連結されるが、蛍光体４６Ｇは第２アノード５３ｂに、蛍光体４７Ｂは第１アノード５３ａに連結される。
【００２６】
　第１画素４６は、エミッタ５６、５７とこれに対応するＲ蛍光体４６ＲとＧ蛍光体４６Ｇとブルー蛍光体４７Ｂを含み、第２画素４８は、エミッタ５７、５８とこれに対応するＲ蛍光体４７ＲとＧ蛍光体４８Ｇとブルー蛍光体４８Ｂを含む。
【００２７】
　図５Ａに示されたように、本発明の実施形態による電界放出ディスプレイでは、第１画素４６に紫色Ｖ４１を表現し、第２画素４８にＧ４３を表現するために、第１画素４６のＲ蛍光体４６Ｒとブルー蛍光体４７Ｂ及び、第２画素４８のＧ蛍光体４８Ｇに連結される第１アノード５３ａに電圧を印加し、Ｒ蛍光体４６Ｒ、ブルー蛍光体４７Ｂ及びＧ蛍光体４８Ｇに対応するエミッタ５６、５７、５８に電圧を印加する。すると、各エミッタ５６、５７、５８で放出される電子ビームは、第１アノード５３ａとカソード５１間の電界により対応する蛍光体４６Ｒ、４７Ｂ、４８Ｇに衝突して、対応する色相である、Ｒ光、Ｂ光及びＧ光を発光させる。そして、第１画素４６で発光されるＲ光とＢ光は視覚的に混合されてＶ４１を表現し、第２画素４８で発光されるＧ光はＧ４３を表現する。
【００２８】
　図５Ｂは、本発明の第１実施形態による電界放出ディスプレイで第２画素４８にＲを表現する方式を説明した図面である。
　図５Ｂを参照すれば、第２画素４８にＲ４５を表現するために第２画素４８のＲ蛍光体４７Ｒに連結された第２アノード５３ｂに電圧を印加し、Ｒ蛍光体４７Ｒに対応するエミッタ５７にだけ電圧を印加するようにカソード５１を駆動する。すると、示されたように、エミッタ５７から放出される電子ビームはＲ蛍光体４７Ｒに衝突してＲ光を発光させてＲ４５を第２画素４８に表現する。
【００２９】
　本発明の第１実施形態による電界放出ディスプレイでは、前述した方式に該当画素に表現しようとする色相の光を発光する蛍光体と連結されたアノードを選択的に駆動した後、該当蛍光体に対応するカソードを駆動してフルカラーを具現する。
【００３０】
　本発明の第１実施形態による電界放出ディスプレイは、上部電極を第１及び第２上部電極に区分し、前記第１及び第２上部電極上に蛍光体を形成するが、カソード上部に位置する１つのエミッタに相異なる２つの色相の蛍光体が対応する構造を採用してアノードとカソード駆動方式を簡単にした。
【００３１】
　図６は、本発明の第１実施形態による電界放出ディスプレイの上部基板の電極配列を簡略に示した平面図である。
　上部基板５２には１つのエミッタ５６、５７、５８に対応する相異なる２つの色相の蛍光体（４６Ｒ、４６Ｇ）、（４７Ｂ、４７Ｒ）、（４８Ｇ、４８Ｂ）がストライプ状に配列され、前記相異なる色相の蛍光体（４６Ｒ、４６Ｇ）、（４７Ｂ、４７Ｒ）、（４８Ｇ、４８Ｂ）はそれぞれ第１及び第２アノード５３ａ、５３ｂに交互に連結される。本発明の実施形態による電界放出ディスプレイは、１つのエミッタに対応する上部電極を第１及び第２アノード５３ａ、５３ｂに区分して配列し、簡単に蛍光体（４６Ｒ、４６Ｇ）、（４７Ｂ、４７Ｒ）、（４８Ｇ、４８Ｂ）と連結できるので、従来のアノードスイッチング方式の電界放出ディスプレイとは異なり、上部電極を形成する工程が簡単になる。
【００３２】
　図７は、本発明の第１実施形態による電界放出ディスプレイでクロストーク現象を示した断面図である。
　図７を参照すれば、本発明の第１実施形態による電界放出ディスプレイでは、エミッタ５７で発光する電子ビームは、エミッタ５６とエミッタ５７の境界に位置する第１画素４６のＧ蛍光体４６Ｇと第２画素４８のＲ蛍光体４７Ｒとに静電気力によって引きつけられて衝突して所望の第２画素４８のＲ光だけではなく、所望しないＧ光を発光させうる。
【００３３】
　図８は、図７に示されたように、本発明の第１実施形態による電界放出ディスプレイのクロストークを防止するために第１及び第２アノード５３ａ、５３ｂの電極配置を変えた本発明の第２実施形態による電界放出ディスプレイの断面図である。
　図８を参照すれば、本発明の第２実施形態による電界放出ディスプレイは、第１及び第２アノード５３ａ、５３ｂが、同じエミッタ５６、５７、５８、７６、７７、７８に対応する相異なる２つの色の蛍光体（４６Ｒ、４６Ｇ）、（４７Ｂ、４７Ｒ）、（４８Ｇ、４８Ｂ）、（６６Ｒ、６６Ｇ）、（６７Ｂ、６７Ｒ）、（６８Ｇ、６８Ｂ）に分離して連結され、相異なるエミッタ５６、５７、５８に対応する２つの色の蛍光体４６Ｇ、４７Ｂ、４７Ｒ、４８Ｇ、４８Ｂ、６６Ｒ、６６Ｇ、６７Ｂ、６７Ｒ、６８Ｇは相異なる第１及び第２アノード５３ａ、５３ｂに分離して連結される。図７に示されたようなアノード連結構造は相異なるエミッタに対応する蛍光体を同じアノードに連結させることによってビームの広がる現象が防止できる。第１画素４６は蛍光体４６Ｒ、４６Ｇ、４７Ｂを含み、第２画素４８は蛍光体４７Ｒ、４８Ｇ、４８Ｂを、第３画素６６は蛍光体６６Ｒ、６６Ｇ、６７Ｂを、第４画素６８は蛍光体６７Ｒ、６８Ｇ、６８Ｂを含む。
【００３４】
　図面を参照すれば、Ｒ蛍光体４６Ｒと連結された第１アノード５３ａに電圧を印加し、これに対応するエミッタ５６を駆動して第１画素４６にＲを表示し、第１アノード５３ａに電圧が印加された状態でこれに対応するエミッタ７７を駆動して第３画素６６にＢを表示できる。
【００３５】
　本発明の第２実施形態による電界放出ディスプレイは、前述した方式で各画素に所望の色相を表現するために、該当画素の該当色相の蛍光体に連結されたアノードを駆動し、これに対応するカソードを駆動する。
【００３６】
　図９は、本発明の第２実施形態による電界放出ディスプレイの上部基板の平面図である。
　図９を参照すれば、本発明の第２実施形態による電界放出ディスプレイの上部基板５２には、図８に示されたエミッタ５６、５７の境界面に位置する相異なる２つの色の蛍光体４６Ｇ、４７Ｂが第２アノード５３ｂに連結され、相異なるエミッタ５７、５８に対応する相異なる２つの色の蛍光体４７Ｒ、４８Ｇが第１アノード５３ａに連結されるように配列される。本発明の第２実施形態による電界放出ディスプレイの上部電極構造は示されたように、図６に示した本発明の第１実施形態による電界放出ディスプレイの上部基板５２に配列される上部電極構造とは異なり、相異なるエミッタに対応する隣接する２つの蛍光体が同じアノードに連結されてビームの広がる現象を防止する。
【００３７】
　図１０Ａは、従来のカソードスイッチング方法によって駆動される電界放出ディスプレイが発光する写真であり、図１０Ｂは、図１０Ａの電界放出ディスプレイでビームの広がる程度を示す。
　図面を参照すれば、各蛍光体のピッチは１１０μｍ程度で１つのラインを駆動しようとするが３〜４個のラインの蛍光体が発光することが分かる。
【００３８】
　図１１は、図１０Ａで適用された同一条件を本発明の実施形態による電界放出ディスプレイに適用した実験結果である。図面から本発明の実施形態による電界放出ディスプレイでは電子ビームが１つのラインによく集束されていることが分かる。
【００３９】
　前記説明で多くの事項が具体的に記載されているが、これらは発明の範囲を限定するものではなく、望ましい実施形態の例示として解釈せねばならない。本発明の範囲は説明された実施形態によって定められるのではなく、特許請求の範囲に記載された技術的思想によって定められるべきである。
【産業上の利用可能性】
【００４０】
　本発明の電界放出ディスプレイは、金属及び半導体の表面から真空に出てくるトンネリング冷電子をＲＧＢ蛍光体に衝突させることで、光を発光させる原理を利用する電界放出ディスプレイに利用される。このようなＦＥＤは、ＣＲＴの自然色の表現、完全なグレースケール、高い輝度、早い応答時間、広い視野角、及び広い動作温度及び湿度の範囲の長所と、ＦＰＤ（Flat Panel Display)の薄くて軽くてかつ磁気放射線及びＸ線が生じない長所とを合わせ持った次世代の一番有望なディスプレイの１つと言える。
【図面の簡単な説明】
【００４１】
【図１】従来のカソードスイッチング方式の電界放出ディスプレイを示した図面である。
【図２】従来のカソードスイッチング方式の電界放出ディスプレイでクロストーク現象を簡略に示した図面である。
【図３】（ａ）は、従来のアノードスイッチング方式の電界放出ディスプレイでＲ光が発光する原理を示した図面であり、（ｂ）は、従来のアノードスイッチング方式の電界放出ディスプレイでＢ光が発光する原理を示した図面であり、（ｃ）は、従来のアノードスイッチング方式の電界放出ディスプレイでＧ光が発光する原理を示した図面である。
【図４】本発明の第１実施形態による電界放出ディスプレイを示した斜視図である。
【図５Ａ】図４の電界放出ディスプレイで第１画素にＶ光、第２画素にＧ光を表現するための駆動方式を説明する図面である。
【図５Ｂ】図４の電界放出ディスプレイで第２画素にＲ光を表現するための駆動方式を説明する図面である。
【図６】図４の電界放出ディスプレイで上部電極と蛍光体との配置を示した平面図である。
【図７】図４の電界放出ディスプレイでクロストークを示した図面である。
【図８】本発明の第２実施形態による電界放出ディスプレイを示した断面図である。
【図９】図８の電界放出ディスプレイの上部電極と蛍光体との配置を示した平面図である。
【図１０Ａ】従来のカソードスイッチング方法により駆動される電界放出ディスプレイが発光する写真である。
【図１０Ｂ】Ａの電界放出ディスプレイでビームが広がる程度を示した図面である。
【図１１】図１０Ａで適用した条件を本発明の実施形態による電界放出ディスプレイに適用した実験結果を示した図面である。
【符号の説明】
【００４２】
　４１　　紫色
　４３　　Ｇ
　４６　　第１画素
　４６Ｒ、４６Ｇ、４７Ｂ、４７Ｒ、４８Ｇ、４８Ｂ　蛍光体
　４８　　第２画素
　５１　　カソード
　５２　　上部基板
　５３ａ　第１アノード
　５３ｂ　第２アノード
　５６、５７、５８　エミッタ
【図１】
2004071567.tif 000003
【図２】
2004071567.tif 000004
【図３】
2004071567.tif 000005
【図４】
2004071567.tif 000006
【図５Ａ】
2004071567.tif 000007
【図５Ｂ】
2004071567.tif 000008
【図６】
2004071567.tif 000009
【図７】
2004071567.tif 000010
【図８】
2004071567.tif 000011
【図９】
2004071567.tif 000012
【図１０Ａ】
2004071567.tif 000013
【図１０Ｂ】
2004071567.tif 000014
【図１１】
2004071567.tif 000015